(57)【要約】【課題】パネル板間の縦目地部に露出した縦枠又は支柱に所定間隔毎に係止孔を複数形成した間仕切装置に、該間仕切装置に何ら手を加えることなく簡単に組付けることが可能であり、液晶パネル等の表示装置を載置するカウンター板と、パソコン等の電子機器本体を収容する収容部を備えた安価な間仕切装置における受付台装置を提供する。【解決手段】所定高さ位置の係止孔を用いて取付けた少なくとも左右一対のブラケット４，４にカウンター板３を取付けるとともに、両ブラケット間でカウンター板の下方の床面に設置したキャビネット５の天板１０をカウンター板に連結し、カウンター板とパネル板間にコード挿通部１１を形成するとともに、キャビネットの後部にコード挿通部に連通する引出口１２を形成した。【選択図】        図３
2007303176.tif 000002
【特許請求の範囲】
【請求項１】
パネル板間の縦目地部に露出した縦枠又は支柱に所定間隔毎に係止孔を複数形成した間仕切装置において、所定高さ位置の係止孔を用いて取付けた少なくとも左右一対のブラケットにカウンター板を取付けるとともに、両ブラケット間で該カウンター板の下方の床面に設置したキャビネットの天板を前記カウンター板に連結し、前記カウンター板とパネル板間にコード挿通部を形成するとともに、キャビネットの後部に前記コード挿通部に連通する引出口を形成してなることを特徴とする間仕切装置における受付台装置。
【請求項２】
前記キャビネットは、前面に開閉扉を設けるとともに、背板に放熱用の孔を形成したものであり、前記背板と前記パネル板間に隙間を設けて設置してなる請求項１記載の間仕切装置における受付台装置。
【請求項３】
前記カウンター板の後端縁で左右中央部を切り欠いて前記コード挿通部を形成するとともに、該コード挿通部に対応するキャビネットの背板上端部及び天板後端部を切り欠いて前記引出口を形成してなる請求項１又は２記載の間仕切装置における受付台装置。
【請求項４】
前記ブラケットの水平受片に前記カウンター板を載置してネジ止めするとともに、該カウンター板に前記キャビネットの天板を収容部内からネジ止めしてなる請求項１〜３何れかに記載の間仕切装置における受付台装置。
【請求項５】
前記カウンター板の後端縁と前記パネル板との間に隙間を形成してなる請求項１〜４何れかに記載の間仕切装置における受付台装置。
【発明の詳細な説明】
【技術分野】
【０００１】
本発明は、間仕切装置における受付台装置に係わり、更に詳しくは間仕切装置にオプションとして取付けて使用する受付台装置に関するものである。
【背景技術】
【０００２】
従来から間仕切装置に棚板や掲示板等のオプションを取付けることは公知である。また、間仕切装置に側板、天板、地板及び開閉扉を取付けてキャビネットを一体化するものも提供されている。
【０００３】
また、特許文献１には、撮像装置、画像表示装置、タッチパネル、マイクロフォン及びスピーカーを少なくとも装架した前面板と、この表面板に連接した機器収容部とを備え、間仕切装置の壁面材に形成した開口に前記機器収容部を埋設し、前面板を壁面材の前面側に突出した状態に設けた来訪受付カウンタが開示されている。また、特許文献２には、間仕切装置のパネル板の前面側に配線機能を備えた背面パネル装置を介在させてキャビネットを設置する構造が開示されている。尚、間仕切装置に棚板を設けることは周知であり、例えば特許文献３にも、間仕切装置のパネル板に形成した貫通孔に棚板の後端に突設した基端脚部を前面から挿入し、抜止め固定してパネル面に直角に棚板を取付ける構造が開示されている。
【０００４】
しかし、特許文献１に記載のものは間仕切装置に大きな開口を設けなければならず、特殊な施工を必要とし、また特許文献２に記載のものは、キャビネットとは独立した背面パネル装置を設けるので、簡単に設置することができず、コスト高となるばかりでなく、キャビネット内にパソコン等の電子機器本体を収容し、天板に液晶パネル等の表示装置を載置して使用することを意図してないので、キャビネットの背板を通して配線する機能は付与されてないのである。また、特許文献３のように、単に棚板のみを備えたものでは、該棚板に表示装置を載置するのは強度的に問題があり、また電子機器本体を収容する空間はないのである。
【特許文献１】特開平７−４６５５５号公報
【特許文献２】特許第３７０６２９９号公報
【特許文献３】特開平５−１４８９２２号公報
【発明の開示】
【発明が解決しようとする課題】
【０００５】
そこで、本発明が前述の状況に鑑み、解決しようとするところは、パネル板間の縦目地部に露出した縦枠又は支柱に所定間隔毎に係止孔を複数形成した間仕切装置に、該間仕切装置に何ら手を加えることなく簡単に組付けることが可能であり、液晶パネル等の表示装置を載置するカウンター板と、パソコン等の電子機器本体を収容する収容部を備えた安価な間仕切装置における受付台装置を提供する点にある。
【課題を解決するための手段】
【０００６】
本発明は、前述の課題解決のために、パネル板間の縦目地部に露出した縦枠又は支柱に所定間隔毎に係止孔を複数形成した間仕切装置において、所定高さ位置の係止孔を用いて取付けた少なくとも左右一対のブラケットにカウンター板を取付けるとともに、両ブラケット間で該カウンター板の下方の床面に設置したキャビネットの天板を前記カウンター板に連結し、前記カウンター板とパネル板間にコード挿通部を形成するとともに、キャビネットの後部に前記コード挿通部に連通する引出口を形成してなる間仕切装置における受付台装置を構成した（請求項１）。
【０００７】
ここで、前記キャビネットは、前面に開閉扉を設けるとともに、背板に放熱用の孔を形成したものであり、前記背板と前記パネル板間に隙間を設けて設置してなることが好ましい（請求項２）。
【０００８】
更に、前記カウンター板の後端縁で左右中央部を切り欠いて前記コード挿通部を形成するとともに、該コード挿通部に対応するキャビネットの背板上端部及び天板後端部を切り欠いて前記引出口を形成してなることがより好ましい（請求項３）。
【０００９】
そして、前記ブラケットの水平受片に前記カウンター板を載置してネジ止めするとともに、該カウンター板に前記キャビネットの天板を収容部内からネジ止めしてなるのである（請求項４）。
【００１０】
また、前記カウンター板の後端縁と前記パネル板との間に隙間を形成してなることも好ましい（請求項５）。
【発明の効果】
【００１１】
以上にしてなる請求項１に係る発明の間仕切装置における受付台装置は、間仕切装置のパネル板間の縦目地部に有する係止孔にブラケットを装着し、左右一対のブラケットにカウンター板を載置して取付けるとともに、両ブラケット間で該カウンター板の下方の床面に設置したキャビネットの天板を前記カウンター板に連結するだけで簡単に設置することができ、前記カウンター板とパネル板間にコード挿通部を形成するとともに、キャビネットの後部に前記コード挿通部に連通する引出口を形成したので、カウンター板に液晶パネル等の表示装置を載置し、キャビネットの収容部にパソコン等の電子機器本体を収容し、電子機器本体から配線コードを引出口とコード挿通部を通して表示装置に接続することができるのである。また、前記カウンター板は、床面に設置したキャビネットの天板に連結するので、カウンター板の支持強度が非常に高く、重量のある表示装置等を載置しても安定である。
【００１２】
請求項２によれば、開閉扉を設けているので、内部に収容したパソコン等の電子機器本体を隠蔽することができ、また背板に放熱用の孔を形成し、背板とパネル板間に隙間を設けて設置したので、電子機器本体から発生した熱を、前記孔を通して背板とパネル板間の隙間から放熱することができる。
【００１３】
請求項３によれば、キャビネット内部の電子機器本体から、カウンター板に載置した表示装置への配線コードを、最短距離で露出することなく接続することができ、また余剰の配線コードはキャビネット内部に格納できるので、外観性にも優れたものとなる。
【００１４】
請求項４によれば、ブラケットの水平受片にカウンター板を載置して下方からネジ止めするとともに、カウンター板にキャビネットの天板を収容部内からネジ止めすることにより、簡単にカウンター板とキャビネットを連結することができ、しかもネジが外部に見えないので外観性に優れ、更にキャビネットはカウンター板とブラケットを介して間仕切装置と連結されているので、電子機器本体に対する防盗性にも優れている。
【００１５】
請求項５によれば、カウンター板の後端縁とパネル板との間に形成した隙間は、キャビネットの収容部に収容した電子機器本体から発生した熱を上方へ逃すための放熱ダクトとして機能するとともに、配線コードの引き出しにも利用することができるのである。
【発明を実施するための最良の形態】
【００１６】
次に、添付図面に示した実施形態に基づき、本発明を更に詳細に説明する。図１〜図５は本発明に係る間仕切装置における受付台装置の実施形態を示し、図中符号１は間仕切装置、２は受付台装置、３はカウンター板、４はブラケット、５はキャビネットをそれぞれ示している。また、Ｐはパソコン等の電子機器本体、Ｍは液晶パネル等の表示装置、Ｃは配線コードを示している。
【００１７】
本発明の間仕切装置における受付台装置は、パネル板６，６間の縦目地部７に露出した縦枠８又は支柱に所定間隔毎に係止孔９，…を複数形成した間仕切装置１において、所定高さ位置の係止孔９，…を用いて取付けた少なくとも左右一対のブラケット４，４にカウンター板３を取付けるとともに、両ブラケット４，４間で該カウンター板３の下方の床面に設置したキャビネット５の天板１０を前記カウンター板３に連結し、前記カウンター板３とパネル板６間にコード挿通部１１を形成するとともに、キャビネット５の後部に前記コード挿通部１１に連通する引出口１２を形成してなるものである。
【００１８】
更に詳しくは、前記受付台装置２は、既設の間仕切装置１にカウンター板３をブラケット４，４を用いて取付け、該カウンター板３の下方にキャビネット５を、間仕切装置１のパネル板６に対して５〜５０ｍｍ程度の隙間Ｓ１を設けて設置し、前記カウンター板３とキャビネット５を連結して構成する。
【００１９】
前記カウンター板３は、図１に示したものは、前縁が円弧に湾曲した形状であり、図５に示したものは、平面視長方形の形状のものである。前記カウンター板３は、木製や金属製のものを用いることができ、後端縁の左右中央部を切り欠いて前記コード挿通部１１を形成している。
【００２０】
前記ブラケット４は、間仕切装置１の係止孔９，…を用いて棚板等を取付けるために用意している既製のものでよく、図２及び図３に示すように、後方へ向かうに従って上下幅を増した垂直基板１３の上縁に水平受片１４を直角に折曲形成し、前記垂直基板１３の後端部は前記縦目地部７に挿入できる形状になっており、該後端部の上下に複数のフック１５，…を突設し、前記係止孔９，…を使用して嵌合係止できる構造である。また、通常は、前記ブラケット４のフック１５，…を係止孔９，…に嵌合係止しただけでは、該ブラケット４を持ち上げて回転させれば外れるので、該ブラケット４の嵌合係止状態で持ち上がりを規制する固定具１６を用いる。
【００２１】
前記ブラケット４，４を左右の縦目地部７，７に、前記係止孔９，…を使用して同一高さに装着し、前記水平受片１４に前記カウンター板３を載置して下方からネジ１７，…で連結する。この際に、前記最上段のフック１５を係止した係止孔９かそれより上の係止孔９に上下動不能に固定具１６の嵌合片１８を嵌合した状態で、前記水平受片１４とともに固定具１６をネジ１７でカウンター板３の下面に螺着する。
【００２２】
前記キャビネット５は、全体構造は通常のスチール製のものと同じであり、背板１９の両側に側板２０，２０を平面視コ字形に折曲して胴部を形成し、該胴部の上下端に天板１０と地板２１を固着し、前面側には施錠可能な開閉扉２２を設けている。また、前記キャビネット５は、底部に間仕切装置１の巾木部と略同一高さのベース部２３を設け、内部の収容部には、適宜棚板２４を高さ調節可能に設けている。更に、前記キャビネット５の背板１９の上部には、放熱用の孔２５，…を多数形成し、前記コード挿通部１１に対応する背板１９の上端部及び天板１０の後端部を切り欠いて前記引出口１２を形成している。ここで、前記引出口１２の口縁には合成樹脂製又はゴム製の保護部材を装着し、前記配線コードＣの傷付きを防止している。また、前記地板２１には、開口２６を形成し、キャビネット５の外部から電源や信号のコードを導入できるようにしている。
【００２３】
そして、前記キャビネット５を前記カウンター板３の下方で、両ブラケット４，４間に設置した状態で、収容部内から天板１０を前記カウンター板３の下面にネジ２７，…で連結している。この状態で、前記カウンター板３は、キャビネット５の天板１０の上に載置された状態となり、該カウンター板３に重量物を載置しても安定に支持することができる。また、図４に示すように、前記間仕切装置１のパネル板６と前記キャビネット５の背板１９との間には、前述のように５〜５０ｍｍの隙間Ｓ１を形成し、前記キャビネット５内に収容した電子機器本体Ｐからは発生した熱を、前記孔２５，…を通して外部に放散させることができるようになっている。更に、前記カウンター板３の後端縁とパネル板６との間にも同様な隙間Ｓ２を形成し、熱が上方へ放散し易くしているとともに、前記コード挿通部１１以外の位置でもこの隙間Ｓ２を利用して配線コードＣを配線することができるようにしている。また、本実施形態では、前記キャビネット５の側板２０にも小さなパンチング孔２８，…を形成して、放熱性を高めている。
【００２４】
来訪者は、前記受付台装置２の前まで来て、表示装置Ｍに表示された指示、あるいは音声による指示に基づいて操作することができるように、カウンター板３に入力装置Ｉ（マウス）を載置しているが、表示装置Ｍがタッチ操作パネルを兼ねたものであれば不要である。しかし、本発明は、前記受付台装置２に載置し、収容する自動受付装置の機能には限定されない。
【００２５】
図６〜図８は、本発明を適用する間仕切装置１の構造の説明図であり、図６は部分分解斜視図、図７はパネル板を縦枠に取付ける構造を示す部分分解斜視図、図８はフレームの表裏両面にパネル板を取付けた状態を示す縦断側面図である。
【００２６】
間仕切装置１は、フレーム２９の表裏に複数枚のパネル板６，…を上下方向に配列させて着脱可能とした積層タイプのブロックパネル構造である。前記フレーム２９は両側縦枠８，８間の上下端部に横枠３０，３０を渡設するとともに、上下中間位置に単又は複数の横桟３１を渡設し、縦枠８のパネル板６取付面には係合孔３２，…が形成されている。
【００２７】
そして、前記パネル板６の両側縁部の裏面（フレーム２９に対向する面）には、上下の取付孔３３，３３が形成されている。そして、該上下の取付孔３３，３３には、上部連結具３４及び下部連結具３５が内嵌される。そして、前記フレーム２９の両側の縦枠８，８に形成した上下左右の係合孔３２，…に、前記下部連結具３５に設けた下向きフック３５Ａを係止するとともに、前記上部連結具３４に設けた係合爪３４Ａを抜止め状態で弾性係合させて前記パネル板６を取付ける。従って、パネル板６，…は、フレーム２９，…から容易に着脱することができる。尚、上下のパネル板６，６間には、横目地材３６が形成されており、上下のパネル板間の間隙を塞ぐと共に特に意匠面での統一感を向上することができる。
【００２８】
そして、隣接する前記フレーム２９，２９の縦枠８，８同士をボルトで次々に連結して、直線状の間仕切装置１を構成する。また、コーナー支柱を介在させれば、平面視Ｌ字状、Ｔ字状、十文字状に構成することが可能である。そして、隣接する各フレーム２９，２９に取付けたパネル板６，６の間に、前記縦目地部７が形成されるのである。この縦目地部７には、二列に係止孔９，…が存在することになる。尚、前記間仕切装置１の構造は前述のものに限らず、支柱を一定間隔毎に立設し、該支柱を介してパネル板６を取付ける構造のものでもよく、その場合には前記係止孔９，…は支柱の前後面に形成される。
【００２９】
また、前記上下のパネル板６，６間に形成される横目地部３７に沿って前記カウンター板３を設けることにより、全体の外観において統一性が確保できる。
【図面の簡単な説明】
【００３０】
【図１】本発明に係る間仕切装置における受付台装置の全体斜視図である。
【図２】同じく要部の分解斜視図である。
【図３】同じく組立状態の要部の拡大斜視図である。
【図４】同じく説明用の部分側面図である。
【図５】カウンター板の形状が異なる実施形態を示す全体斜視図である。
【図６】間仕切装置の分解斜視図である。
【図７】同じく間仕切装置の拡大分解斜視図である。
【図８】間仕切装置の説明用の縦断面図である。
【符号の説明】
【００３１】
１  間仕切装置
２  受付台装置
３  カウンター板
４  ブラケット
５  キャビネット
６  パネル板
７  縦目地部
８  縦枠
９  係止孔
１０  天板
１１  コード挿通部
１２  引出口
１３  垂直基板
１４  水平受片
１５  フック
１６  固定具
１７  ネジ
１８  嵌合片
１９  背板
２０  側板
２１  地板
２２  開閉扉
２３  ベース部
２４  棚板
２５  孔
２６  開口
２７  ネジ
２８  パンチング孔
２９  フレーム
３０  横枠
３１  横桟
３２  係合孔
３３  取付孔
３４  上部連結具
３４Ａ  係合爪
３５  下部連結具
３５Ａ  フック
３６  横目地材
３７  横目地部
Ｐ  電子機器本体
Ｍ  表示装置
Ｃ  配線コード
Ｉ  入力装置
Ｓ１  隙間
Ｓ２  隙間
【図１】
2007303176.tif 000003
【図２】
2007303176.tif 000004
【図３】
2007303176.tif 000005
【図４】
2007303176.tif 000006
【図５】
2007303176.tif 000007
【図６】
2007303176.tif 000008
【図７】
2007303176.tif 000009
【図８】
2007303176.tif 000010